【手続補正書】
【提出日】平成17年8月19日(2005.8.19)
【手続補正１】
【補正対象書類名】明細書
【補正対象項目名】特許請求の範囲
【補正方法】変更
【補正の内容】
【特許請求の範囲】
【請求項１】
車両と、情報提供装置とを有し、
前記車両は、
当該車両に乗車または降車する乗降客が所持する乗車券から、当該乗車券に割り当てられた乗車券識別情報を読み取る読取手段と、
当該車両の位置を測る測位手段と、
前記読取手段により読み取られた乗車券識別情報と、前記測位手段により測位された位置を示す位置情報とを前記情報提供装置へ送信する第１の送信手段とを有し、
前記情報提供装置は、
発券された乗車券毎に、当該乗車券の乗車券識別情報と、当該乗車券を使用する乗降客が所持する移動通信端末の通信アドレスとを対応付けて記憶する記憶手段と、
前記第１の送信手段により送信された乗車券識別情報と位置情報とを受信する受信手段と、
前記受信手段により受信された位置情報に基づいてコンテンツを選択する選択手段と、
前記受信手段により受信された乗車券識別情報に対応付けられている通信アドレスを前記記憶手段から読み出して送信先に指定し、前記選択手段により選択されたコンテンツを送信する第２の送信手段とを有する
ことを特徴とする通信システム。
【請求項２】
前記記憶手段は、発券された乗車券毎に、当該乗車券の乗車券識別情報と、当該乗車券を使用する乗降客が所持する移動通信端末の通信アドレスと、前記乗降客が設定したキーワードとを対応付けて記憶し、
前記選択手段は、前記受信手段により受信された乗車券識別情報に対応付けられているキーワードを前記記憶手段から読み出して、当該キーワードと、前記受信手段により受信された位置情報とに基づいてコンテンツを選択する
ことを特徴とする請求項１に記載の通信システム。
【請求項３】
車両と、情報提供装置とを有し、
前記車両は、
当該車両に乗車する乗車客が所持する乗車券から、当該乗車券に割り当てられた乗車券識別情報を読み取る第１の読取手段と、
当該車両から降車する降車客が所持する乗車券から、当該乗車券に割り当てられた乗車券識別情報を読み取る第２の読取手段と、
当該車両の位置を測る測位手段と、
前記第１の読取手段により読み取られた乗車客の乗車券識別情報と、前記第２の読取手段により読み取られた降車客の乗車券識別情報と、前記測位手段により測位された位置を示す位置情報とを前記情報提供装置へ送信する第１の送信手段とを有し、
前記情報提供装置は、
発券された乗車券毎に、当該乗車券の乗車券識別情報と、当該乗車券を使用する顧客が所持する移動通信端末の通信アドレスと、前記顧客の乗車有無を示す乗車状態情報とを対応付けて記憶する記憶手段と、
前記第１の送信手段により送信された、乗車客の乗車券識別情報と降車客の乗車券識別情報と位置情報とを受信する受信手段と、
前記記憶手段に記憶された乗車状態情報を更新する手段であって、前記受信手段により乗車客の乗車券識別情報が受信されると、当該乗車券識別情報に対応付けられている乗車状態情報を乗車中であることを示す情報に書き換える一方、前記受信手段により降車客の乗車券識別情報が受信されると、当該乗車券識別情報に対応付けられている乗車状態情報を降車したことを示す情報に書き換える更新手段と、
前記受信手段により受信された位置情報に基づいてコンテンツを選択する選択手段と、
前記記憶手段を参照して乗車状態が乗車中である顧客の通信アドレスを読み出して送信先に指定し、前記選択手段により選択されたコンテンツを送信する第２の送信手段とを有する
ことを特徴とする通信システム。
【請求項４】
前記記憶手段は、発券された乗車券毎に、当該乗車券の乗車券識別情報と、当該乗車券を使用する顧客が所持する移動通信端末の通信アドレスと、前記顧客の乗車有無を示す乗車状態情報と、前記顧客が設定した送信時間間隔を示す情報とを対応付けて記憶し、
前記第２の送信手段は、前記記憶手段を参照し、乗車状態が乗車中である顧客を特定するとともに特定した顧客毎に、当該顧客が設定した送信時間間隔で、当該顧客の通信アドレスに宛てて前記選択手段により選択されたコンテンツを送信する
ことを特徴とする請求項３に記載の通信システム。
【請求項５】
車両と、情報提供装置とを有し、
前記車両は、
当該車両から降車する降車客が所持する乗車券から、当該乗車券に割り当てられた乗車券識別情報を読み取る読取手段と、
当該車両の位置を測る測位手段と、
前記読取手段により読み取られた乗車券識別情報と、前記測位手段により測位された位置を示す位置情報とを前記情報提供装置へ送信する第１の送信手段とを有し、
前記情報提供装置は、
発券された乗車券毎に、当該乗車券の乗車券識別情報と、当該乗車券を使用する顧客が所持する移動通信端末の通信アドレスと、前記顧客が前記車両を降車した後に向かう目的地を示す目的地情報とを対応付けて記憶する記憶手段と、
前記第１の送信手段により送信された乗車券識別情報と位置情報とを受信する受信手段と、
前記受信手段により受信された乗車券識別情報に対応付けられている目的地情報を前記記憶手段から読み出して、当該目的地情報から特定される位置と、前記受信手段により受信された位置情報により示される位置とを含んだ地図データを取得する取得手段と、
前記受信手段により受信された乗車券識別情報に対応付けられている通信アドレスを前記記憶手段から読み出して送信先に指定し、前記取得手段により取得された地図データを送信する第２の送信手段とを有する
ことを特徴とする通信システム。
【請求項６】
前記取得手段は、前記目的地情報から特定される位置と、前記受信手段により受信された位置情報により示される位置とを含んだ地図データが複数ある場合に、当該複数の地図データの中から、地図の縮尺に基づいて縮小した比率が最も小さい地図データを取得する
ことを特徴とする請求項５に記載の通信システム。
【手続補正２】
【補正対象書類名】明細書
【補正対象項目名】０００２
【補正方法】変更
【補正の内容】
【０００２】
【従来の技術】
例えば、駅構内や電車内、線路に沿って設けられた複数の通信基地局を用いて鉄道の利用者が所持する携帯情報端末の位置を特定して管理センタで管理し、携帯情報端末に対して位置に応じたコンテンツを提供する情報提供システムがある（特許文献１参照）。
【手続補正３】
【補正対象書類名】明細書
【補正対象項目名】０００６
【補正方法】変更
【補正の内容】
【０００６】
【課題を解決するための手段】
上記課題を解決するために、本発明は、車両と、情報提供装置とを有し、
前記車両は、
当該車両に乗車または降車する乗降客が所持する乗車券から、当該乗車券に割り当てられた乗車券識別情報を読み取る読取手段と、
当該車両の位置を測る測位手段と、
前記読取手段により読み取られた乗車券識別情報と、前記測位手段により測位された位置を示す位置情報とを前記情報提供装置へ送信する第１の送信手段とを有し、
前記情報提供装置は、
発券された乗車券毎に、当該乗車券の乗車券識別情報と、当該乗車券を使用する乗降客が所持する移動通信端末の通信アドレスとを対応付けて記憶する記憶手段と、
前記第１の送信手段により送信された乗車券識別情報と位置情報とを受信する受信手段と、
前記受信手段により受信された位置情報に基づいてコンテンツを選択する選択手段と、
前記受信手段により受信された乗車券識別情報に対応付けられている通信アドレスを前記記憶手段から読み出して送信先に指定し、前記選択手段により選択されたコンテンツを送信する第２の送信手段とを有する
ことを特徴とする通信システムを提供する。
【手続補正４】
【補正対象書類名】明細書
【補正対象項目名】０００７
【補正方法】変更
【補正の内容】
【０００７】
また、本発明は、車両と、情報提供装置とを有し、
前記車両は、
当該車両に乗車する乗車客が所持する乗車券から、当該乗車券に割り当てられた乗車券識別情報を読み取る第１の読取手段と、
当該車両から降車する降車客が所持する乗車券から、当該乗車券に割り当てられた乗車券識別情報を読み取る第２の読取手段と、
当該車両の位置を測る測位手段と、
前記第１の読取手段により読み取られた乗車客の乗車券識別情報と、前記第２の読取手段により読み取られた降車客の乗車券識別情報と、前記測位手段により測位された位置を示す位置情報とを前記情報提供装置へ送信する第１の送信手段とを有し、
前記情報提供装置は、
発券された乗車券毎に、当該乗車券の乗車券識別情報と、当該乗車券を使用する顧客が所持する移動通信端末の通信アドレスと、前記顧客の乗車有無を示す乗車状態情報とを対応付けて記憶する記憶手段と、
前記第１の送信手段により送信された、乗車客の乗車券識別情報と降車客の乗車券識別情報と位置情報とを受信する受信手段と、
前記記憶手段に記憶された乗車状態情報を更新する手段であって、前記受信手段により乗車客の乗車券識別情報が受信されると、当該乗車券識別情報に対応付けられている乗車状態情報を乗車中であることを示す情報に書き換える一方、前記受信手段により降車客の乗車券識別情報が受信されると、当該乗車券識別情報に対応付けられている乗車状態情報を降車したことを示す情報に書き換える更新手段と、
前記受信手段により受信された位置情報に基づいてコンテンツを選択する選択手段と、
前記記憶手段を参照して乗車状態が乗車中である顧客の通信アドレスを読み出して送信先に指定し、前記選択手段により選択されたコンテンツを送信する第２の送信手段とを有する
ことを特徴とする通信システムを提供する。
また、本発明は、車両と、情報提供装置とを有し、
前記車両は、
当該車両から降車する降車客が所持する乗車券から、当該乗車券に割り当てられた乗車券識別情報を読み取る読取手段と、
当該車両の位置を測る測位手段と、
前記読取手段により読み取られた乗車券識別情報と、前記測位手段により測位された位置を示す位置情報とを前記情報提供装置へ送信する第１の送信手段とを有し、
前記情報提供装置は、
発券された乗車券毎に、当該乗車券の乗車券識別情報と、当該乗車券を使用する顧客が所持する移動通信端末の通信アドレスと、前記顧客が前記車両を降車した後に向かう目的地を示す目的地情報とを対応付けて記憶する記憶手段と、
前記第１の送信手段により送信された乗車券識別情報と位置情報とを受信する受信手段と、
前記受信手段により受信された乗車券識別情報に対応付けられている目的地情報を前記記憶手段から読み出して、当該目的地情報から特定される位置と、前記受信手段により受信された位置情報により示される位置とを含んだ地図データを取得する取得手段と、
前記受信手段により受信された乗車券識別情報に対応付けられている通信アドレスを前記記憶手段から読み出して送信先に指定し、前記取得手段により取得された地図データを送信する第２の送信手段とを有する
ことを特徴とする通信システムを提供する。